(57)【特許請求の範囲】
【請求項１】
トレッド部が研磨された台タイヤに対して、溝パターンを有する踏面用のプレキュアトレッドを前記トレッド部の外周上に接着用のゴム層を介して接合する一方で、予め円環状に加硫された凸部形成用のプレキュアトレッドを前記トレッド部の側壁上に接着用のゴム層を介して接合したことを特徴とする更生タイヤ。
【請求項２】
前記踏面用のプレキュアトレッドがタイヤ周方向に延びる複数本の主溝を含み、前記凸部形成用のプレキュアトレッドをタイヤ子午線断面において前記複数本の主溝の溝底を通る円弧よりもタイヤ径方向内側かつタイヤ最大幅位置よりもタイヤ幅方向内側に配置したことを特徴とする請求項１に記載の更生タイヤ。
【請求項３】
前記凸部形成用のプレキュアトレッドは複数の小突起がタイヤ径方向に並ぶ蛇腹形状を有することを特徴とする請求項１又は２に記載の更生タイヤ。
【請求項４】
前記凸部形成用のプレキュアトレッドの一部を前記台タイヤと前記踏面用のプレキュアトレッドとの間に挟み込んだことを特徴とする請求項１〜３のいずれかに記載の更生タイヤ。
【請求項５】
前記凸部形成用のプレキュアトレッドを前記踏面用のプレキュアトレッドとは異なるゴム組成物から構成したことを特徴とする請求項１〜４のいずれかに記載の更生タイヤ。
【発明の詳細な説明】
【技術分野】
【０００１】
本発明は、更生タイヤに関し、更に詳しくは、更生時の成形作業性を損なうことなく、ショルダー部への凸部の付加を容易にした更生タイヤに関する。
【背景技術】
【０００２】
例えば、トレーラー用のタイヤにおいては、雨水や雪の飛散を抑制するために、ショルダー部にタイヤ周方向に延在する凸部を設けることが提案されている。また、荒れ地走行用のタイヤにおいては、ショルダー部にプロテクターとして凸部を形成することが行われている。このようにタイヤのショルダー部に所定の機能を有する凸部を設けることは有用である。
【０００３】
ところで、使用済みのタイヤを更生する場合、使用済みのタイヤのトレッド部を研磨して台タイヤを成形し、そのトレッド部が研磨された台タイヤに対して新たなトレッドを貼り合わせることが行われているが、上述のような凸部をショルダー部に備えていない台タイヤに対して更生時に凸部を付加することができれば、更生タイヤの付加価値を高めることができる。
【０００４】
しかしながら、リモールド方式やプレキュアトレッド方式の更生方法では、タイヤのショルダー部に比較的大きな凸部を設けることは難しいのが現状である。つまり、リモールド式の更生方法においては、タイヤ径方向外側からトレッド成形用のモールドを押し付けた状態でトレッド部の加硫を行うが、そのモールドにショルダー部の凸部を成形するための凹部を設けた場合、加硫後の型抜きが極めて困難になる。また、ショルダー部の凸部を形成するために、タイヤ更生用モールドの構造を通常のタイヤ加硫用モールドに近付けることが考えられるが、その場合、更生設備が大掛かりになるという欠点がある。
【０００５】
一方、プレキュアトレッド方式の更生方法（例えば、特許文献１参照）においては、プレキュアトレッドのショルダー部に対応する位置に凸部を一体的に形成することが考えられる。ところが、プレキュアトレッドのショルダー部に対応する位置に凸部を一体的に設けた場合、凸部をタイヤ径方向内側に向かって倒し込む必要があり、その成形作業が極めて困難になる。特に、凸部が厚肉であって高剛性である場合、そのような凸部をタイヤ径方向内側に向かって倒し込むことは難しい。また、凸部をタイヤ周方向に複数の部分に分割することが考えられるが、その場合、凸部に期待される所定の機能を発揮することが難しくなるばかりでなく、タイヤの外観が悪化したり、凸部が剥がれ易くなるという欠点がある。
【先行技術文献】
【特許文献】
【０００６】
【特許文献１】特開２００５−１１２０１０号公報
【発明の概要】
【発明が解決しようとする課題】
【０００７】
本発明の目的は、更生時の成形作業性を損なうことなく、ショルダー部への凸部の付加を容易にした更生タイヤを提供することにある。
【課題を解決するための手段】
【０００８】
上記目的を達成するための本発明の更生タイヤは、トレッド部が研磨された台タイヤに対して、溝パターンを有する踏面用のプレキュアトレッドを前記トレッド部の外周上に接着用のゴム層を介して接合する一方で、予め円環状に加硫された凸部形成用のプレキュアトレッドを前記トレッド部の側壁上に接着用のゴム層を介して接合したことを特徴とするものである。
【発明の効果】
【０００９】
本発明では、トレッド部が研磨された台タイヤに対して、溝パターンを有する踏面用のプレキュアトレッドをトレッド部の外周上に接着用のゴム層を介して接合する一方で、凸部形成用のプレキュアトレッドをトレッド部の側壁上に接着用のゴム層を介して接合することにより、更生時の成形作業性を損なうことなく、ショルダー部への凸部の付加を容易に実施することができる。
【００１０】
踏面用のプレキュアトレッドがタイヤ周方向に延びる複数本の主溝を含む場合、凸部形成用のプレキュアトレッドはタイヤ子午線断面において複数本の主溝の溝底を通る円弧よりもタイヤ径方向内側かつタイヤ最大幅位置よりもタイヤ幅方向内側に配置することが好ましい。つまり、凸部形成用のプレキュアトレッドは摩耗進行の影響を受けず、しかもタイヤ総幅を超えない領域に配置するのが良い。
【００１１】
凸部形成用のプレキュアトレッドは予め円環状に加硫されたものである。凸部形成用のプレキュアトレッドを円環状の加硫物とした場合、更生時の成形作業性を高めることができる。また、凸部形成用のプレキュアトレッドを円環状の加硫物とした場合、その周上にスプライス部が存在しないため、凸部形成用のプレキュアトレッドのスプライス部に起因する重量の偏りを抑えることができる。
【００１３】
凸部形成用のプレキュアトレッドの一部は台タイヤと踏面用のプレキュアトレッドとの間に挟み込むことが好ましい。この場合、踏面用のプレキュアトレッドにより凸部形成用のプレキュアトレッドが台タイヤに対して固定されるため、更生時の成形作業性を高めることができる。
【００１４】
凸部形成用のプレキュアトレッドは踏面用のプレキュアトレッドとは異なるゴム組成物から構成することが好ましい。凸部形成用のプレキュアトレッドは、踏面用のプレキュアトレッドとは異なる目的で配置されているので、その目的に応じて所望のゴム組成物を使用することができる。
【図面の簡単な説明】
【００１５】
【図１】本発明の実施形態からなる更生タイヤを示す子午線半断面図である。
【図２】本発明の他の実施形態からなる更生タイヤの要部を示す子午線断面図である。
【図３】本発明の更に他の実施形態からなる更生タイヤの要部を示す子午線断面図である。
【図４】本発明の更に他の実施形態からなる更生タイヤの要部を示す子午線断面図である。
【図５】本発明の更に他の実施形態からなる更生タイヤの要部を示す子午線断面図である。
【図６】本発明の更に他の実施形態からなる更生タイヤの要部を示す子午線断面図である。
【図７】本発明の更に他の実施形態からなる更生タイヤの要部を示す子午線断面図である。
【図８】本発明の更に他の実施形態からなる更生タイヤの要部を示す子午線断面図である。
【図９】本発明の更に他の実施形態からなる更生タイヤを示す子午線半断面図である。
【図１０】本発明の更に他の実施形態からなる更生タイヤを示す子午線半断面図である。
【発明を実施するための形態】
【００１６】
以下、本発明の構成について添付の図面を参照しながら詳細に説明する。図１は本発明の実施形態からなる更生タイヤを示すものである。
【００１７】
図１において、台タイヤ１は使用済タイヤのトレッド部を研磨（バフ加工）して成形されたものであり、１１はトレッド部、１２はサイドウォール部、１３はビード部である。このトレッド部１１が研磨された台タイヤ１に対して、踏面用のプレキュアトレッド２がトレッド部１１の外周上に接着用のゴム層４ａを介して接合される一方で、凸部形成用のプレキュアトレッド３がトレッド部１１の側壁上に接着用のゴム層４ｂを介して接合されている。接着用のゴム層４の厚さは、例えば、０．５ｍｍ〜２．０ｍｍである。
【００１８】
踏面用のプレキュアトレッド２は、タイヤ外周長に相当する長さを持つ帯材であり、その踏面には溝２ａのパターンを有している。溝２ａはタイヤ周方向に延びる複数本の主溝を含んでいる。一方、凸部形成用のプレキュアトレッド３は、タイヤショルダー部の周長に相当する長さを持つ帯材（参考例）、又は、タイヤショルダー部の周長に相当する長さを持つ円環状部材である。これら踏面用のプレキュアトレッド２及び凸部形成用のプレキュアトレッド３はいずれも更生作業に先駆けて加硫されたものである。
【００１９】
図１に示すように、凸部形成用のプレキュアトレッド３はタイヤ子午線断面において複数本の主溝の溝底を通る円弧Ａよりもタイヤ径方向内側かつタイヤ最大幅位置Ｂよりもタイヤ幅方向内側に配置されている。凸部形成用のプレキュアトレッド３を上記範囲内に配置した場合、凸部形成用のプレキュアトレッド３が摩耗進行の影響を受けることはなく、また、タイヤ総幅を超えないため走行時の障害となることもない。
【００２０】
上述した更生タイヤでは、トレッド部１１が研磨された台タイヤ１に対して、踏面用のプレキュアトレッド２をトレッド部１１の外周上に接着用のゴム層４ａを介して接合し、それとは別に、凸部形成用のプレキュアトレッド３をトレッド部１１の側壁上に接着用のゴム層４ｂを介して接合しているので、凸部形成用のプレキュアトレッド３が帯材又は円環状部材のいずれであっても、更生時の成形作業性を損なうことなく、ショルダー部への凸部の付加を容易に実施することができる。
【００２１】
凸部形成用のプレキュアトレッド３が踏面用のプレキュアトレッド２から分離された帯材である場合、その帯材が厚肉で高剛性であっても容易に変形させることができる。つまり、踏面用のプレキュアトレッド２及び凸部形成用のプレキュアトレッド３の断面形状に対応する一体物のプレキュアトレッドを用いた場合、一体物のプレキュアトレッドを台タイヤ１の周囲に巻き付ける際にその外周面と内周面との径差が大きくなることによりプレキュアトレッドに歪みを生じて成形性が悪化することになる。これに対して、上述のように踏面用のプレキュアトレッド２と凸部形成用のプレキュアトレッド３とを互いに分離した場合、プレキュアトレッド２，３の各々における外周面と内周面との径差が小さくなるため更生時の成形性が悪化することはない。
【００２２】
一方、凸部形成用のプレキュアトレッド３が円環状部材である場合、その円環状のプレキュアトレッド３を変形させることなくトレッド部１１の側壁上に貼り合わせるだけで良いため更生時の成形性が悪化することはない。この場合、円環状のプレキュアトレッド３は周上にスプライス部を持たないため重量の偏りが小さいという利点もある。
【００２３】
なお、凸部形成用のプレキュアトレッド３が帯材である場合、踏面用のプレキュアトレッド２のスプライス位置と凸部形成用のプレキュアトレッド３のスプライス位置とを互いにタイヤ周方向にずらすことが望ましい。特に、踏面用のプレキュアトレッド２のスプライス部に対して凸部形成用のプレキュアトレッド３のスプライス部をタイヤ回転軸を挟んでタイヤ周上の反対側の位置に配置すると良い。これにより、踏面用のプレキュアトレッド２のスプライス部に起因する重量の偏りと凸部形成用のプレキュアトレッド３のスプライス部に起因する重量の偏りとが一致するのを回避し、より好ましくは、両者に起因する重量の偏りを相殺し、タイヤ全体としての重量の偏りを抑えることができる。
【００２４】
図２〜図１０は本発明に係る更生タイヤの変形例を示すものである。図２において、凸部形成用のプレキュアトレッド３は断面形状が三角形になっている。図３において、凸部形成用のプレキュアトレッド３は先端が細くなる形状を有している。図４において、凸部形成用のプレキュアトレッド３はトレッド側に向かって徐々に厚くなっている。図５〜図７において、凸部形成用のプレキュアトレッド３は複数の小突起がタイヤ径方向に並ぶ蛇腹形状になっている。このように凸部形成用のプレキュアトレッド３の断面形状はその目的に応じて適宜選択することができる。
【００２５】
図８において、凸部形成用のプレキュアトレッド３の一部は台タイヤ１と踏面用のプレキュアトレッド２との間に挟み込まれている。この場合、踏面用のプレキュアトレッド２により凸部形成用のプレキュアトレッド３が台タイヤ１に対して固定されるため、更生時の成形作業性を高めることができる。また、凸部形成用のプレキュアトレッド３の一部を台タイヤ１と踏面用のプレキュアトレッド２との間に挟み込むことにより、凸部形成用のプレキュアトレッド３の剥がれを防止することができる。更に、凸部形成用のプレキュアトレッド３上に踏面用のプレキュアトレッド２を配置した構造であるので、台タイヤ１のトレッド幅よりも広い踏面用のプレキュアトレッド２を載せることができるという利点もある。このような挟み込み構造の場合においても、凸部形成用のプレキュアトレッド３の断面形状はその目的に応じて適宜選択することができる（図９及び図１０参照）。
【００２６】
上述した各実施形態において、凸部形成用のプレキュアトレッド３は踏面用のプレキュアトレッド２とは異なるゴム組成物から構成することができる。凸部形成用のプレキュアトレッド３は、踏面用のプレキュアトレッド２とは異なる目的で配置されているので、その目的に応じて所望のゴム組成物を使用することができる。例えば、プレキュアトレッド３により形成される凸部の目的は、路面上の雨水や雪の飛散を抑制すること、或いは、ショルダー部を保護することであるが、そのような目的に鑑みて凸部形成用のプレキュアトレッド３を耐カット性に優れたゴム組成物から構成することが望ましい。
【実施例】
【００２７】
タイヤサイズ１１Ｒ２２．５の使用済みタイヤ（ショルダー部に凸部を持たないもの）をプレキュアトレッド方式により更生し、そのショルダー部に凸部を付加するにあたって、プレキュアトレッドの構造を表１のように異ならせることにより、従来例１及び実施例１〜２及び参考例１〜３の更生タイヤを得た。
【００２８】
表１において、「トレッド一体型」とは、踏面用のプレキュアトレッド及び凸部形成用のプレキュアトレッドの断面形状に対応する一体物のプレキュアトレッドを用いた場合を意味する。「トレッド分割型」とは、踏面用のプレキュアトレッドと凸部形成用のプレキュアトレッドとを分離した場合を意味する。「帯状」とは凸部形成用のプレキュアトレッドが帯状である場合を意味し、「円環状」とは凸部形成用のプレキュアトレッドが円環状である場合を意味する。「スプライスずらし」とは、踏面用のプレキュアトレッドのスプライス位置と凸部形成用のプレキュアトレッドのスプライス位置とを互いにタイヤ周方向にずらしたことを意味する。「挟み込み」とは凸部形成用のプレキュアトレッドの一部を台タイヤと踏面用のプレキュアトレッドとの間に挟み込んだ構造を意味する。いずれの項目についても、その構造を適用した場合を「○」にて示す。
【００２９】
これら試験タイヤについて、下記の評価方法により、製造の容易さ及び重量アンバランスを評価し、その結果を表１に併せて示した。
【００３０】
製造の容易さ：
各試験タイヤの更生時の組み立て時間を測定した。評価結果は、測定値の逆数を用い、従来例１を１００とする指数にて示した。この指数値が大きいほど更生時の成形作業性が優れていることを意味する。
【００３１】
重量アンバランス：
各試験タイヤについてラジアル・フォースバリエーション（ＲＦＶ）を測定した。評価結果は、測定値の逆数を用い、従来例１を１００とする指数にて示した。この指数値が大きいほど重量アンバランスが少ないことを意味する。
【００３２】
【表１】
0005601005.tif 000002
【００３３】
表１から明らかなように、実施例１〜２及び参考例１〜３のタイヤは、従来例１に比べて更生時の成形作業性が優れていた。また、凸部形成用のプレキュアトレッドを帯状とし、踏面用のプレキュアトレッドのスプライス位置と凸部形成用のプレキュアトレッドのスプライス位置とを互いにタイヤ周方向にずらした場合、及び、凸部形成用のプレキュアトレッドを円環状とした場合、スプライス部に起因する重量の偏りを抑えて重量アンバランスを低減することができた。
【符号の説明】
【００３４】
１  台タイヤ
２  踏面用のプレキュアトレッド
２ａ  溝
３  凸部形成用のプレキュアトレッド
４ａ，４ｂ  接着用のゴム層
１１  トレッド部
１２  サイドウォール部
１３  ビード部
【図１】
0005601005.tif 000003
【図２】
0005601005.tif 000004
【図３】
0005601005.tif 000005
【図４】
0005601005.tif 000006
【図５】
0005601005.tif 000007
【図６】
0005601005.tif 000008
【図７】
0005601005.tif 000009
【図８】
0005601005.tif 000010
【図９】
0005601005.tif 000011
【図１０】
0005601005.tif 000012